(57)【要約】【課題】 容器としての耐久性および加工花の保存性に優れるとともに、観賞用としての容器の装飾性および加工花の視認性に優れた容器および写真入りの加工花記念置物を提供する。【解決手段】透明性ガラス、及び樹脂を使用した１００ｍＬ〜３０００ｍＬの密閉容器本体内に、加工花と写真立を構成し、前記容器本体内での加工花と写真立の目視面での比率を加工花に対して０．３〜０・７であり、長期間の保存と記念品として加工花入り記念置である。【選択図】図１
0003166432.tif 000002
【実用新案登録請求の範囲】
【請求項１】
透明性ガラス、及び樹脂を使用した密閉容器本体内に、加工花と写真立を構成し、前記容器本体内での加工花と写真立の正面目視面での比率を加工花に対して０．３〜０・７の大きさであることを特徴とする加工花入り記念置物
【請求項２】
透明性ガラス、及び樹脂を使用した容器本体は、透明体の厚さ１ｍｍ〜7ｍｍの球状、ドーム状、箱状、グラス状、ベル状のいずれから選ばれたものであって、容積として１００ｍＬ〜３０００ｍＬであることを特徴とする請求項１に記載の加工花入り記念置物
【請求項３】
容器内に入れる加工花は、生花を加工したドライフラワー又は、プリザーブドフラワーで、花の種類としてバラ、ユリ、ガーベラ、カーネーション、トルコキキョウ、カスミソウ、リンドウ、ユーカリ、アジサイ、ラン類とであることを特徴とする請求項１又は請求項２に記載の加工花入り記念置物
【請求項４】
写真を挿入できる透光性の板材の写真立は、容器の底面に対する角度を４５度〜１３５度で、形状として四角形、円形、楕円形、多角形であることを特徴とする請求項１から３のいずれかに記載の加工花入り記念置物。
【請求項５】
写真立に挿入する写真は、記念とする愛玩動物、又は人物であることを特徴とする請求項１から４のいずれかに記載の加工花入り記念置物。
【考案の詳細な説明】
【技術分野】
【０００１】
本考案は、ドライフラワーやプリザーブドフラワーと併せて写真を挿入した加工花入り記念置物に関するものである。
【背景技術】
【０００２】
この従来の記念置物としては透明容器にドライフラワーやプリザーブドフラワーを挿したり土台などに接着し記念置物あるいは装飾用にのみ供するのが一般的である。
【０００３】
この従来の記念置物あるいは装飾用は、容器の内部に加工花を密閉静置していた。
容器としての耐久性およびドライフラワーの保存性に優れるとともに、観賞用としての容器の装飾性およびドライフラワーの視認性に優れた容器およびドライフラワーを提供されている（特許文献１参照）。
【０００４】
ドライフラワーをガラス容器内に封入し、蓋を固定したドライフラワー密封容器の作成において、ガラス容器の口部を研磨することなくしてガラス容器を安価に提供する上で、開口部を有する透明ガラス容器１内に乾燥剤と、ドライフラワーを封入し、開口部を蓋により封止するドライフラワー密封し、容器の開口部口縁に挟着部を設けたゴム又は合成樹脂製の嵌着材を使用したものを提案している（特許文献2参照）。
【０００５】
ドライフラワー密封容器を別個に作成して額本体への収納を容易ならしめ原色のままドライさせたドライフラワーの花額縁入りを提供されている（特許文献３参照）。
プリザーブドフラワーと、オーストリア風工芸とを積極的に組合せ融合させる飾り物を提案されている（特許文献４参照）。
【０００６】
立体的な特殊加工花（プリザーブドフラワー）・特殊乾燥花を用いて華やかで豪華な写真額、額の写真窓を切り抜いた台紙上に立体花とリボンを貼付し、台紙の下には色紙、塩化ビニール板を貼付し、額縁の下隅には、乾燥剤、防虫剤を取り付ける置物を提案している（特許文献５参照）。
【０００７】
写真（遺影を含む）又は肖像画を、どのような場所にでも違和感なく設置、展示できる額で、彩色し厚みのある額に写真（遺影を含む）、又は肖像画を収め、その上に造花類、関連品をそれぞれに応じた方法で固定、装飾した台紙を重ねて、をガラス、又は透明プラスチック等で覆い、汚れ、湿気などを防いだ額において、ガラスは自由に外せるという長所から乾燥剤の交換も自分で自由に行えることも特徴であるしたものを提案されている（特許文献６参照）。
【０００８】
たとえば、特許文献１には、ドライフラワーを収納させる容器として、透明樹脂板材による長期鑑賞用容器としている記念置物・装飾品があるが、透明樹脂板材のアクリル樹脂はバリア性に欠けた素材であり長期鑑賞には問題がある。親密性のない記念置物・装飾品であった。
【０００９】
また、特許文献2には、ガラス容器を密閉するとしているが、方法として口部にガラス同士を取り付け密閉するがとしているが、ガラス容器の製造時にガラス素材を取り上げた部分は必ず凸凹部分が存在し凸の部分が盛り上がる事又、ガラス容器製品の口部の厚みが同一ではない事などから口部基部を平らにしない限り容器を密閉する事は解決せず、ドライフラワーは変色する。
【００１０】
一般に現在はガラス同士がきれいに接着密閉されることにより、加工花ボトルフラワーは価値がある。ガラス同士の間に異物が挟まったものは見栄えが良いとはいえない。親密性のない記念置物・装飾品である。
【００１１】
そのほか額の形状のものはすべて正面からのみでしか見ることができない。
【先行技術文献】
【特許文献】
【００１２】
【特許文献１】特開2001−334797号公報
【特許文献２】特開2005−271981号公報
【特許文献３】特開2001-097801号公報
【特許文献４】特開2006-168091号公報
【特許文献５】特開2005-280323号公報
【特許文献６】実案登録3115277号公報
【考案の概要】
【考案が解決しようとする課題】
【００１３】
上記従来の記念置物あるいは装飾用はただ単なる置物であり長期の記念置物あるいは装飾品であるが為に、効果の点では長期見慣れてしまい時経と共に物足りないまたは、美観を損ねるという難点があった。ドライフラワーなど加工花に記念になる写真を挿入することによって一層親しみやすくなり、鑑賞を長期かせるものが期待されている。とくに愛玩動物の写真を加工花と共に入れておくと、記念置物を改善することになる。
【課題を解決するための手段】
【００１４】
そこで従来の容器の中に加工花と写真を配置した組み合わせにより視認性に優れた身近な加工花入り記念置物を提供するものである。透明性ガラス、及び樹脂を使用した密閉容器本体内に、加工花と写真立を構成し、前記容器本体内での加工花と写真立の目視面での比率を加工花に対して０.３〜０.７である加工花入り記念置である。好ましくは0.5である。
【００１５】
透明性ガラス、及び樹脂を使用した容器本体は、透明体の厚さ１ｍｍ〜7ｍｍの球状、ドーム状、箱状、グラス状、ベル状のいずれから選ばれたものでであって、容積として１００ｍＬ〜３０００ｍＬである。好ましくは球状でかつ7００ｍＬが良い。
【００１６】
容器内に入れる加工花は、生花を加工したドライフラワー又は、プリザーブドフラワーで、花の種類としてバラ、ユリ、ガーベラ、カーネーション、トルコキキョウ、カスミソウ、リンドウ、ユーカリ、アジサイ、ラン類とである。好ましくは、バラをメインの花とするが良い。
【００１７】
写真を挿入できる透光性の板材の写真立は、容器の底面に対する角度を４５度〜１３５度で、形状として四角形、円形、楕円形、多角形である。写真立に挿入する写真は、記念とする愛玩動物、人物、又は風景で加工花入り記念置物である。好ましくは愛玩動物が良い。
【考案の効果】
【００１８】
本考案により、以下の効果を奏することができる。
装飾効果を一段と高めることができる。
加工花入り記念置物に愛玩動物、人物の写真等を組み合わせ配置することにより、ケース本体容器を観賞するときに、額の装飾のもと比べ加工花を全面に配置しているために前面及び側面からでも美しくかつ親しみを持って見る記念置物になる。
【００１９】
加工花入り記念置物は愛玩動物、人物の写真を配置することにより長期にわたり思い出が残り親しく親密性を維持し観賞することができる。加工花入り記念置物を離れて暮らす身内に送り、いつまでも身近な家族として絆を深めることができる。
【００２０】
愛玩動物が亡くなった後も、加工花入り記念置物にその愛玩動物の写真を入れ、記念置物とする事により家族の悲しみや寂しさは和らぎ癒される。
【図面の簡単な説明】
【００２１】
【図１】本考案に係る加工花入りドーム型記念置物を示す正面図
【図２】本考案に係る加工花入りドーム型記念置物を示す側面図
【図３】本考案に係る加工花入りグラス型記念置物を示す正面図
【図４】本考案に係る加工花入りグラス型記念置物を示す側面図
【図５】本考案に係る加工花入り箱型記念置物を示す正面図
【図６】本考案に係る加工花入り箱型記念置物を示す斜視図
【考案を実施するための形態】
【００２２】
図１は本発明の実施形態における加工花入りドーム型記念置物を示す正面図であり、図２は図１の側面図、図３はグラス型記念置物を示す正面図、図４は図３の側面図同、図５は箱型記念置物を示す正面図、図６は図５の側面図である。
【００２３】
本実施形態の加工花入り記念置物は、図１〜図6に示すように、球状、ドーム状、箱状、グラス状、ベル状のケース本体に加工花と写真を収納し、ケース本体の前面に加工花に囲まれた記念写真を取り付けたものである。
【実施例１】
【００２４】
図1に加工花入りドーム型記念置物に関する実施例を示す。
写真立3に写真4愛玩動物の写真を入れる。
写真立3を前面より1/3程の所にバランスを調製しながら接着剤でプレート7の上に固定する。
【００２５】
写真立3の固定の背後に乾燥剤入りチュ−ル5と座6を接着剤で固定する。
加工花２にワイヤーを固定施した物を、容器1内に納まるようにかつ、前面の写真立3が見栄えが良いように調整しながら順次しっかりとそしてプレート7を移動しても加工花２が落ちないように座6に差し込んでおく、または加工花２そのものを接着剤でプレート7に順次固定をして配置する。
【００２６】
加工花２を容器1内に配置した後、隙間が目立つようであればリボン等を使い入れ込む。
容器1内に配置が終了後、接着剤で容器1と受け皿7又、 板ガラス8 を隙間なく接着剤で密閉すると容器1と受け皿7が一体化し見栄えの良い物となった。
【実施例２】
【００２７】
図3は加工花入りグラス型記念置物に関する実施例を示す。
写真立3に写真4愛玩動物の写真を入れる。
容器1の中に写真立3を前面より1/3程の所にバランスを調製しながら接着剤で容器1壁面に固定する。
【００２８】
写真立3の固定の背後に乾燥剤入りチュ−ル5と座6を接着剤で固定する。
加工花２にワイヤーを固定施した物を、容器1内に納まるようにかつ、前面の写真立3が見栄えが良いように調整しながら順次しっかりとそしてグラス容器を移動しても加工花２が落ちないよう加工花２を座6にしっかり差し込んでおく、または加工花２そのものを接着剤で順次固定をして配置する。
【００２９】
加工花２を容器1内に配置した後、隙間が目立つようであればリボン等を使い入れ込む。
容器1内に配置が終了後、接着剤で容器1と 板ガラス8 を隙間なく接着剤で密閉すると容器1と 板ガラス8が一体化し見栄えの良い物となった。
グラス容器の中
【実施例３】
【００３０】
図５は、加工花入り箱型記念置物に関する実施例である。
写真立3に写真4人物の写真を入れる。
箱型容器1の中に写真立3を前面より1/3程の所にバランスを調製しながら接着剤で容器1側面に固定する。
【００３１】
写真立3の固定の背後に乾燥剤入りチュ−ル5と座6を接着剤で固定する。
加工花２にワイヤーを固定施した物を、容器1内に納まるようにかつ、前面の写真立3が見栄えが良いように調整しながら順次しっかりとそしてグラス容器を移動しても加工花２が落ちないよう加工花２を座6にしっかり差し込んでおく、または加工花２そのものを接着剤で順次固定をして配置する。
【００３２】
加工花２を容器1内に配置した後、隙間が目立つようであればリボン等を使い入れ込んでも良い。
容器1内に配置が終了後、接着剤で容器1と 板ガラス8 を隙間なく接着剤で密閉すると容器1と 板ガラス8が一体化し見栄えの良い物となった。
【符号の説明】
【００３３】
１．容器
２. 加工花
３．写真立
４．写真
５．乾燥剤入りチュ−ル
６．座
７．受け皿
８．板ガラス
【図１】
0003166432.tif 000003
【図２】
0003166432.tif 000004
【図３】
0003166432.tif 000005
【図４】
0003166432.tif 000006
【図５】
0003166432.tif 000007
【図６】
0003166432.tif 000008